(57)【要約】【課題】本発明は、無線ＬＡＮのアクセスポイント等に内蔵される逆Ｆ型アンテナ及びそれを備えた無線通信装置に関し、作業性に優れ製造歩留まりを向上できる逆Ｆ型アンテナ及びそれを備えた無線通信装置を提供する。【解決手段】逆Ｆ型アンテナ１は、接地導体板４の接続導体板３側端部で接地導体板４とほぼ同一平面内に設けられ、シールド板５２に固定する固定用ねじ９０を取り付ける固定用ねじ取付部６と、接地導体板４のほぼ中央部に凸状に形成された突起部８とを有している。シールド板５２は、逆Ｆ型アンテナ１の取付位置に固定用ねじ９０がねじ込まれる雌ねじ部５８と、突起部８の凸部が挿入される凸部挿入用開口部５６とを有するように構成する。【選択図】　　図１
2004080104.tif 000002
【特許請求の範囲】
【請求項１】
接続導体板を介して接地導体板とほぼ平行に対向配置される放射導体板を有する逆Ｆ型アンテナであって、
前記接地導体板は、無線通信装置に固定する固定部を有することを特徴とする逆Ｆ型アンテナ。
【請求項２】
請求項１記載の逆Ｆ型アンテナであって、
前記固定部は、
固定用部材が取り付けられる固定用部材取付部を有していること
を特徴とする逆Ｆ型アンテナ。
【請求項３】
請求項２記載の逆Ｆ型アンテナであって、
前記固定用部材は、ねじであり、
前記固定用部材取付部は、前記ねじを貫通させる穴が形成されていること
を特徴とする逆Ｆ型アンテナ。
【請求項４】
請求項１乃至３のいずれか１項に記載の逆Ｆ型アンテナであって、
前記接地導体板は、前記無線通信装置と係合する係合部をさらに有していること
を特徴とする逆Ｆ型アンテナ。
【請求項５】
請求項４記載の逆Ｆ型アンテナであって、
前記係合部は、突起が形成されていること
を特徴とする逆Ｆ型アンテナ。
【請求項６】
請求項４記載の逆Ｆ型アンテナであって、
前記係合部は、開口が形成されていること
を特徴とする逆Ｆ型アンテナ。
【請求項７】
請求項４記載の逆Ｆ型アンテナであって、
前記係合部は、爪を有していること
を特徴とする逆Ｆ型アンテナ。
【請求項８】
請求項１記載の逆Ｆ型アンテナであって、
前記固定部は、
前記接地導体板の裏面に対向配置された固定用壁部を有していること
を特徴とする逆Ｆ型アンテナ。
【請求項９】
請求項８記載の逆Ｆ型アンテナであって、
前記固定用壁部の互いの対向面側は凹状で当該対向面の裏面側は凸状に形成されていること
を特徴とする逆Ｆ型アンテナ。
【請求項１０】
請求項１記載の逆Ｆ型アンテナであって、
前記固定部は、
前記接地導体板端部に形成された爪と、前記接地導体板の裏面に形成された固定用壁部とを有していること
を特徴とする逆Ｆ型アンテナ。
【請求項１１】
請求項１０記載の逆Ｆ型アンテナであって、
前記固定用壁部の前記爪との対向面側は凹状で当該対向面の裏面側は凸状に形成されていること
を特徴とする逆Ｆ型アンテナ。
【請求項１２】
請求項１記載の逆Ｆ型アンテナであって、
前記固定部は、
前記無線通信装置に設けられた無線通信装置側固定部が取り付けられる開口部を有していること
を特徴とする逆Ｆ型アンテナ。
【請求項１３】
接続導体板を介して接地導体板とほぼ平行に対向配置される放射導体板を有する逆Ｆ型アンテナを備えた無線通信装置であって、
前記接地導体板に設けられ、前記逆Ｆ型アンテナを本体側に固定する第１の固定部と、
前記本体側に設けられ、前記第１の固定部と協働して前記逆Ｆ型アンテナを固定する第２の固定部と
を有することを特徴とする無線通信装置。
【請求項１４】
請求項１３記載の無線通信装置であって、
前記第１の固定部は、
固定用部材が取り付けられる固定用部材取付部を有し、
前記第２の固定部は、
前記固定用部材が装着される固定用部材装着部を有していること
を特徴とする無線通信装置。
【請求項１５】
請求項１４記載の無線通信装置であって、
前記固定用部材は、ねじであり、
前記固定用部材取付部は、前記ねじを貫通させる穴が形成され、
前記固定用部材装着部は、前記ねじと螺合する雌ねじ部を有していること
を特徴とする無線通信装置。
【請求項１６】
請求項１３乃至１５のいずれか１項に記載の無線通信装置であって、
前記接地導体板は、前記本体側に係合する第１の係合部をさらに有し、
前記本体側は、前記第１の係合部と係合する第２の係合部をさらに有していること
を特徴とする無線通信装置。
【請求項１７】
請求項１６記載の無線通信装置であって、
前記第１の係合部は、突起又は開口の一方が形成され、
前記第２の係合部は、前記突起又は開口の他方が形成されていること
を特徴とする無線通信装置。
【請求項１８】
請求項１６記載の無線通信装置であって、
前記第１又は第２の係合部のいずれか一方は、爪を有し、
前記第１又は第２の係合部の他方は、前記爪が挿入される開口が形成されていること
を特徴とする無線通信装置。
【請求項１９】
請求項１３記載の無線通信装置であって、
前記第１又は第２の固定部のいずれか一方は、
前記接地導体板の裏面に対向配置された固定用壁部を有し、
前記第１又は第２の固定部の他方は、
前記固定用壁部が挿入される開口部を有していること
を特徴とする無線通信装置。
【請求項２０】
請求項１９記載の無線通信装置であって、
前記固定用壁部の互いの対向面側は凹状で当該対向面の裏面側は凸状に形成されていること
を特徴とする無線通信装置。
【請求項２１】
請求項１３記載の無線通信装置であって、
前記第１又は第２の固定部のいずれか一方は、
前記接地導体板端部に形成された爪と、前記接地導体板の裏面に形成された固定用壁部とを有し、
前記第１又は第２の固定部の他方は、
前記爪が挿入される第１の開口部と、前記固定用壁部が挿入される第２の開口部とを有していること
を特徴とする無線通信装置。
【請求項２２】
請求項２１記載の無線通信装置であって、
前記固定用壁部の前記爪との対向面側は凹状で当該対向面の裏面側は凸状に形成されていること
を特徴とする無線通信装置。
【請求項２３】
請求項１３記載の無線通信装置であって、
前記第１又は第２の固定部のいずれか一方は、
前記逆Ｆ型アンテナ取付位置に所定の広さを有する開口部と、
前記開口部一端部から前記開口部内に延びる片持ち梁状の固定用爪部と、
前記固定用爪部に形成された凸状の爪とを有し、
前記第１又は第２の固定部の他方は、
前記凸状の爪がはめ込まれる固定用開口部が設けられていること
を特徴とする無線通信装置。
【発明の詳細な説明】
【０００１】
【発明の属する技術分野】
本発明は、無線通信装置のアンテナとして用いられる逆Ｆ型アンテナ及びそれを備えた無線通信装置に関する。
【０００２】
【従来の技術】
近年、例えばＩＥＥＥ８０２．１１シリーズの規格に代表される無線ＬＡＮ（ローカル・エリア・ネットワーク）によるデータ通信が普及しつつある。無線ＬＡＮでは、ＰＣ（パーソナル・コンピュータ）同士あるいはＰＣとプリンタ等の周辺装置との間でのデータの送受信を電波による無線ネットワークを構築して行うことができる。
【０００３】
例えば、ＩＥＥＥ８０２．１１ｂでは、２．４ＧＨｚ帯の電波を使用して、低速の有線ＬＡＮとほぼ同等の１０Ｍｂｐｓ程度のデータ転送速度で距離１０ｍから１００ｍ程度の範囲に無線ネットワークを構築することができる。ＩＥＥＥ８０２．１１ｂでは、ノイズの混入や盗聴防止のため、スペクトラム拡散方式の１つである直接拡散方式による無線通信が採用されている。
【０００４】
通信形態としては、無線通信装置間で直接データ通信を行うアドホック方式や、アクセスポイントを設けてアクセスポイントを介してデータ通信を行うインフラストラクチャ方式などが存在する。無線ＬＡＮを実現するには、無線ＬＡＮカードやアダプタを各ＰＣや周辺装置に装着して必要に応じてアクセスポイントを設置する。
【０００５】
これらの無線ＬＡＮカード、無線ＬＡＮアダプタ、及びアクセスポイント等の無線通信装置には安定して無線通信ができるように種々のタイプのアンテナが取り付けられている。例えば、アクセスポイントには逆Ｆ型アンテナが設けられている。図１０は、従来の逆Ｆ型アンテナを示す斜視図である。図１０に示すように、逆Ｆ型アンテナ１００は、無線通信装置（例えばアクセスポイント）２００を構成するＰＣＢ（プリント基板）上に形成されたＲＦ回路やベースバンド回路（共に不図示）を外部の高周波ノイズから遮蔽するための金属導体から成りグランド（ＧＮＤ）に接続されたシールド板１５０に取り付けられている。
【０００６】
逆Ｆ型アンテナ１００は、長方形平板状の放射導体板１０２が接続導体板１０３を介して長方形平板状の接地導体板１０４に接続されている。放射導体板１０２と接続導体板１０３及び接地導体板１０４は例えば１枚の平板状金属導体板に板金プレス加工を施して作製されている。放射導体板１０２は接地導体板１０４にほぼ平行に対向配置されており、接地導体板１０４の長方形板面をシールド板１５０に半田付けすることにより、放射導体板１０２の板面がシールド板１５０面から所定の距離を隔ててシールド板１５０にほぼ平行に配置されるようになっている。
【０００７】
接地導体板１０４には、同軸ケーブル１８０の編組（外部導体）１８４を挿通させて半田付けする編組接続用穴１０８が開口されている。一方、放射導体板１０２には、同軸ケーブル１８０の芯線（内部導体）１８２を挿通させて半田付けする芯線接続用穴１０６が開口されている。同軸ケーブル１８０は、シールド板１５０に開口された不図示の貫通穴を通して芯線接続用穴１０６に芯線１８２が半田付けされ、編組接続用穴１０８に編組１８４が半田付けされている。同軸ケーブル１８０は、金属導体線の芯線１８２を軸にして絶縁体を介してその周囲に金属細線を編み込んだ編組１８４が配置されている。編組１８４は接地されている。編組１８４の外周はシース（絶縁性外皮）１８６で被覆されている。
【０００８】
【発明が解決しようとする課題】
ところで、上述のように従来の逆Ｆ型アンテナの構造では、接地導体板１０４の板面をシールド板１５０に固定するために半田付けをする必要がある。しかしながら、この半田付け作業は、比較的小型の逆Ｆ型アンテナを手でつまんで半田ごてを使う必要があり作業性が低い。また、接地導体板１０４の半田の剥がれなどにより製造歩留まりが低下してしまうという問題が生じている。
【０００９】
本発明の目的は、作業性に優れ製造歩留まりを向上できる逆Ｆ型アンテナ及びそれを備えた無線通信装置を提供することにある。
【００１０】
【課題を解決するための手段】
上記目的は、接続導体板を介して接地導体板とほぼ平行に対向配置される放射導体板を有する逆Ｆ型アンテナであって、前記接地導体板は、無線通信装置に固定する固定部を有することを特徴とする逆Ｆ型アンテナによって達成される。
【００１１】
上記本発明の逆Ｆ型アンテナであって、記固定部は、固定用部材が取り付けられる固定用部材取付部を有していることを特徴とする。また、前記固定用部材は、ねじであり、前記固定用部材取付部は、前記ねじを貫通させる穴が形成されていることを特徴とする。
【００１２】
上記本発明の逆Ｆ型アンテナであって、前記接地導体板は、前記無線通信装置と係合する係合部をさらに有していることを特徴とする。また、前記係合部は、突起が形成されていることを特徴とする。あるいは、前記係合部は、開口が形成されていることを特徴とする。またあるいは、前記係合部は、爪を有していることを特徴とする。
【００１３】
上記本発明の逆Ｆ型アンテナであって、前記固定部は、前記接地導体板の裏面に対向配置された固定用壁部を有していることを特徴とする。前記固定用壁部の互いの対向面側は凹状で当該対向面の裏面側は凸状に形成されていることを特徴とする。
【００１４】
上記本発明の逆Ｆ型アンテナであって、前記固定部は、前記接地導体板端部に形成された爪と、前記爪に対向配置して前記接地導体板の裏面に形成された固定用壁部とを有していることを特徴とする。前記固定用壁部の前記爪との対向面側は凹状で当該対向面の裏面側は凸状に形成されていることを特徴とする。
【００１５】
上記本発明の逆Ｆ型アンテナであって、前記固定部は、前記無線通信装置に設けられた無線通信装置側固定部が取り付けられる開口部を有していることを特徴とする。
【００１６】
上記目的は、接続導体板を介して接地導体板とほぼ平行に対向配置される放射導体板を有する逆Ｆ型アンテナを備えた無線通信装置であって、前記接地導体板に設けられ、前記逆Ｆ型アンテナを本体側に固定する第１の固定部と、前記本体側に設けられ、前記第１の固定部と協働して前記逆Ｆ型アンテナを固定する第２の固定部とを有することを特徴とする無線通信装置によって達成される。
【００１７】
上記本発明の無線通信装置であって、前記第１の固定部は、固定用部材が取り付けられる固定用部材取付部を有し、前記第２の固定部は、前記固定用部材が装着される固定用部材装着部を有していることを特徴とする。前記固定用部材は、ねじであり、前記固定用部材取付部は、前記ねじを貫通させる穴が形成され、前記固定用部材装着部は、前記ねじと螺合する雌ねじ部を有していることを特徴とする。
【００１８】
上記本発明の無線通信装置であって、前記接地導体板は、前記本体側に係合する第１の係合部をさらに有し、前記本体側は、前記第１の係合部と係合する第２の係合部をさらに有していることを特徴とする。前記第１の係合部は、突起又は開口の一方が形成され、前記第２の係合部は、前記突起又は開口の他方が形成されていることを特徴とする。また、前記第１の係合部は、爪を有し、前記第２の係合部は、前記爪が挿入される開口が形成されていることを特徴とする。
【００１９】
上記本発明の無線通信装置であって、前記第１の固定部は、前記接地導体板の裏面に対向配置された固定用壁部を有し、前記第２の固定部は、前記固定用壁部が挿入される開口部を有していることを特徴とする。前記固定用壁部の互いの対向面側は凹状で当該対向面の裏面側は凸状に形成されていることを特徴とする。
【００２０】
上記本発明の無線通信装置であって、前記第１の固定部は、前記接地導体板端部に形成された爪と、前記爪に対向配置して前記接地導体板の裏面に形成された固定用壁部とを有し、前記第２の固定部は、前記爪が挿入される第１の開口部と、前記固定用壁部が挿入される第２の開口部とを有していることを特徴とする。前記固定用壁部の前記爪との対向面側は凹状で当該対向面の裏面側は凸状に形成されていることを特徴とする。
【００２１】
上記本発明の無線通信装置であって、前記第２の固定部は、前記逆Ｆ型アンテナ取付位置に所定の広さを有する開口部と、前記開口部一端部から前記開口部内に延びる片持ち梁状の固定用爪部と、前記固定用爪部の先端部に形成された凸状の爪とを有し、前記第１の固定部は、前記固定用爪部の先端部の凸状の爪がはめ込まれる固定用開口部が設けられていることを特徴とする。
【００２２】
【発明の実施の形態】
〔第１の実施の形態〕
本発明の第１の実施の形態による逆Ｆ型アンテナ及びそれを備えた無線通信装置について図１乃至図３を用いて説明する。図１は、本実施の形態による逆Ｆ型アンテナ及び無線通信装置のシールド板を示す斜視図である。図２は、本実施の形態による逆Ｆ型アンテナに同軸ケーブルを接続した状態を示す断面図である。図１に示すように、逆Ｆ型アンテナ１は、無線通信装置５０を構成するＰＣＢ（プリント基板）上に形成されたＲＦ回路やベースバンド回路（共に不図示）を外部の高周波ノイズから遮蔽するための金属導体から成りグランド（ＧＮＤ）に接続されたシールド板５２に取り付けられる。なお、図１では逆Ｆ型アンテナ１とシールド板５２との接続状態を明確に示すため、同軸ケーブル１８０の図示は省略している。
【００２３】
逆Ｆ型アンテナ１は、長方形平板状の放射導体板２が接続導体板３を介して長方形平板状の接地導体板４に接続されている。放射導体板２は接地導体板４にほぼ平行に対向配置されるように成形されている。接地導体板４の接続導体板３側端部には接地導体板４板面とほぼ同一平面内に、固定用ねじ取付部（固定用部材取付部）６が設けられている。固定用ねじ取付部６内には固定用ねじ（固定用部材）９０のねじ部が貫通するための穴が設けられている。接地導体板４板面の固定用ねじ取付部６に対向する位置には、固定用ねじ取付部６より一回り大きい開口部７が設けられている。
【００２４】
また、接地導体板４板面のほぼ中央部には、例えば板金プレス加工により図下方に凸状の突起部（第１の係合部）８が形成されている。また、当該板金プレス加工により、図２に示すような同軸ケーブル１８０の芯線（内部導体）１８２を半田付けする芯線接続用切欠き１２が、放射導体板２の一長辺所定位置に形成されている。一方、接地導体板４の芯線接続用切切欠き１２に対応する位置には、図２に示すような同軸ケーブル１８０の編組（外部導体）１８４を挿通させて半田付けする編組接続用穴１０が開口されている。なお、芯線接続用切欠き１２に代えて放射導体板２の板面を開口して芯線接続用穴を形成してもよいし、編組接続用穴１０に代えて接地導体板４の一長辺所定位置に編組接続用切欠きを形成するようにしてももちろんよい。また、編組接続用穴１０や芯線接続用切欠き１２を用いずに放射導体板２に凹部を設けて芯線１８２と接続したり、あるいは放射導体板２の所定箇所に導電性接着剤を塗布し、これと接続するようにしたりしてもよい。このような形状をしている逆Ｆ型アンテナ１は、例えば１枚の平板状の金属導体板に板金プレス加工を施して作製することができる。なお、放射導体板２の板幅等はアンテナの特性上制約があるが、接地導体板４の板幅等には特段の制約がないので、固定用ねじ取付部６を形成する際の板金プレス加工を容易にするため比較的大きい開口部７を形成できるように、例えば図１に示すように、放射導体板２の幅より接地導体板４の幅を広くするようにしてもよい。このため、本実施形態では接続導体板３の板形状を図１に示すように台形状としているが、これに限らず他の例えば長方形状にしてももちろん構わない。
【００２５】
図１に戻って、シールド板５２の板面上の逆Ｆ型アンテナ取付位置には、固定用ねじ９０がねじ込まれて装着される雌ねじ部（固定用部材装着部）５８が形成されている。また、シールド板５２の板面上には、突起部８の凸部が挿入される凸部挿入用開口部（第２の係合部）５６と、同軸ケーブル１８０を通す同軸ケーブル用開口部５４とが所定位置に形成されている。
【００２６】
図２に示すように、同軸ケーブル１８０は、金属導体線の芯線１８２を軸にして絶縁体を介してその周囲に金属細線を編み込んだ編組１８４が配置されている。編組１８４は接地されている。編組１８４の外周はシース（絶縁性外皮）１８６で被覆されている。同軸ケーブル１８０は、シールド板５２に開口された同軸ケーブル用開口部５４を通して芯線１８２が芯線接続用切欠き１２に半田９２で接続され、編組１８４が編組接続用穴１０に半田９４で接続されている。
【００２７】
次に、本実施の形態による逆Ｆ型アンテナ１の取り付け方法について再び図１及び図２を用いて説明する。まず、予め芯線接続用切欠き１２及び編組接続用穴１０に同軸ケーブル１８０の芯線１８２及び編組１８４をそれぞれ半田付けした後に、同軸ケーブル１８０の先端のコネクタ（不図示）をシールド板５２に形成された同軸ケーブル用開口部５４を通して無線通信装置５０を構成するＰＣＢ（不図示）上のＲＦ回路に導入する。
【００２８】
次に、同軸ケーブル１８０が固定された逆Ｆ型アンテナ１をシールド板５２上の逆Ｆ型アンテナ取付位置に位置決めする。この際、逆Ｆ型アンテナ１の接地導体板４に設けられた突起部８の凸部をシールド板５２の凸部挿入用開口部５６に挿入することにより容易に位置決めすることができる。なお、本実施形態では接地導体板４に凸部を設け、シールド板５２に凸部挿入用開口部５６を設けているが、シールド板５２に凸部を設け、接地導体板４に凸部挿入用開口部を設けて位置決めするようにしてももちろんよい。つまり、接地導体板４とシールド板５２とが容易に位置決めできるように、それぞれに何らかの係合部を備え、これらが係合していればよい。
【００２９】
次に、固定用ねじ９０を固定用ねじ取付部６内の穴を通してシールド板５２の雌ねじ部５８にねじ込むことにより、逆Ｆ型アンテナ１の放射導体板２を確実にシールド板５２板面から所定の距離を隔ててシールド板５２にほぼ平行に配置固定することができる。
【００３０】
このように本実施の形態による逆Ｆ型アンテナ１は、無線通信装置５０のシールド板５２にねじ止めする構造にしたので、従来の逆Ｆ型アンテナの構造のような、設置導体板４をシールド板５２に半田付けする工程が不要になる。このため、高い作業性を実現しつつ、設置導体板４とシールド板５２の半田の剥がれによる製造歩留まりの低下をなくすことができる。
【００３１】
また、本実施の形態による逆Ｆ型アンテナ１によれば、接地導体板４に突起部８を設け、シールド板５２の対応位置に凸部挿入用開口部５６を設けたので、これら突起部８と凸部挿入用開口部５６との協働作用により、逆Ｆ型アンテナ１をシールド板５２にねじ止めする際の回転止め構造が実現できる。これにより、ねじ止め時にねじ締めトルクが作用しても、突起部８が凸部挿入用開口部５６側壁部に当たり逆Ｆ型アンテナ１の回転を抑えるため、逆Ｆ型アンテナ１の回転方向の位置ずれを防止できる。
【００３２】
また、同軸ケーブル１８０の配線において、本実施の形態による逆Ｆ型アンテナ１によれば、芯線１８２を半田付けする芯線接続用切欠き１２を放射導体板２の一長辺所定位置に形成し、接地導体板４の芯線接続用切切欠き１２に対応する位置に編組１８４を挿通させて半田付けする編組接続用穴１０を形成しているため、半田付けの作業性を向上させることができる。
【００３３】
次に、図３を用いて、本実施の形態による逆Ｆ型アンテナを備えた無線通信装置５０としてアクセスポイントを例にとって簡単に説明する。図３は、無線ＬＡＮと有線ＬＡＮとを接続するアクセスポイント５０を示している。図３に示すように、アクセスポイント５０は、本体内部の各種電子回路を制御するためのマイクロプロセッサ等からなる中央制御部８２を有している。中央制御部８２は、記憶装置に格納されたブリッジ制御プログラム７６及びＩＥＥＥ８０２．１ｘ制御プログラム７８をメモリ７４に読み出して実行するようになっている。中央制御部８２は、ブリッジ制御プログラム７６に基づき、無線ＬＡＮインターフェース部７０及び有線ＬＡＮインターフェース部７２に対して所定のコマンドやデータを送出して、無線ＬＡＮに接続された端末やリソース等（共に図示せず）と有線ＬＡＮ８０に接続された端末やリソース等（共に図示せず）の間でのデータの送受信を可能にする。
【００３４】
また、中央制御部８２は、ＩＥＥＥ８０２．１ｘ制御プログラム７８に基づき、無線ＬＡＮ上のＰＣから送られてきた有線ＬＡＮ８０上のネットワークへのアクセス要求に対して、有線ＬＡＮ上８０に設置された認証（Ｒａｄｉｕｓ）サーバに無線ＬＡＮ上のＰＣの認証を問合せしたり、認証が得られた場合にはＷＥＰの共通鍵を無線ＬＡＮ上のＰＣに通知したりするようになっている。
【００３５】
本実施の形態による逆Ｆ型アンテナは、このようなアクセスポイント５０に設けられたシールド板５２に図１に示すようにして取り付けられている。
【００３６】
〔第２の実施の形態〕
次に、本発明の第２の実施の形態による逆Ｆ型アンテナ及びそれを備えた無線通信装置について図４を用いて説明する。図４は、本実施の形態による逆Ｆ型アンテナの構造及び無線通信装置のシールド板を示す斜視図である。図４に示すように、逆Ｆ型アンテナ１は、無線通信装置５０のシールド板５２に取り付けられる。なお、図４では逆Ｆ型アンテナ１とシールド板５２との接続状態を明確に示すため、同軸ケーブル１８０の図示は省略している。
【００３７】
本実施の形態による逆Ｆ型アンテナ１は、第１の実施の形態における逆Ｆ型アンテナ１と異なり、接地導体板４板面のほぼ中央部に突起部８が形成されていない。その代わり、本実施の形態による逆Ｆ型アンテナ１には、接地導体板４の接続導体板３側と反対側の端部に接地導体板４板面から一段下がった位置に爪（第１の係合部）１４が形成されている。それ以外の構成は第１の実施の形態と同様であるので同一構成要素には同一の符号を付してその説明は省略する。
【００３８】
シールド板５２の板面上の逆Ｆ型アンテナ取付位置には、固定用ねじ９０がねじ込まれる雌ねじ部（第２の係合部）５８及び同軸ケーブル１８０を通す同軸ケーブル用開口部５４と共に、爪１４が挿入される爪挿入用開口部６０が所定位置に形成されている。
【００３９】
次に、本実施の形態による逆Ｆ型アンテナ１の取り付け方法について再び図４を用いて説明する。同軸ケーブル１８０の芯線１８２を芯線接続用切欠き１２に接触させて半田９２により半田付けし、同軸ケーブル１８０の編組１８４を編組接続用穴１０において半田９４により半田付けして固定するのは図２に示す第１の実施の形態と同一である。
【００４０】
次に、逆Ｆ型アンテナ１の接地導体板４端部の爪１４をシールド板５２の爪挿入用開口部６０に当接させた状態で逆Ｆ型アンテナ１全体を傾斜させ、爪１４を爪挿入用開口部６０に挿入する。次いで逆Ｆ型アンテナ１の姿勢を直して接地導体板４の板面をシールド板５２表面に接触させて位置決めする。このように爪１４を爪挿入用開口部６０に挿入するだけで容易に逆Ｆ型アンテナ１の取付位置の位置決めをすることができる。
【００４１】
次に、固定用ねじ９０を固定用ねじ取付部６内の穴を通してシールド板５２の雌ねじ部５８にねじ込むことにより、逆Ｆ型アンテナ１の放射導体板２を確実にシールド板５２板面から所定の距離を隔ててシールド板１５０にほぼ平行に配置固定することができる。
【００４２】
このように本実施の形態による逆Ｆ型アンテナ１は、第１の実施の形態と同様にシールド板５２にねじ止めする構造にしたので、従来の逆Ｆ型アンテナの構造のような半田付け工程が不要になる。このため、高い作業性を実現しつつ製造歩留まりの低下を抑制することができる。
【００４３】
また、本実施の形態による逆Ｆ型アンテナ１によれば、接地導体板４に爪１４を設け、シールド板５２の対応位置に爪挿入用開口部６０を設けたので、これら爪１４と爪挿入用開口部６０との協働作用により、シールド板５２にねじ止めする際の回転止め構造及びあおり止め構造が実現できる。これにより、ねじ締めトルクの作用による逆Ｆ型アンテナ１の回転方向の位置ずれを防止できると共に、ねじ締めに伴うあおりによる接地導体板４のねじ締め側と反対側端部の浮き上がりを防止できる。
【００４４】
〔第３の実施の形態〕
次に、本発明の第３の実施の形態による逆Ｆ型アンテナ及びそれを備えた無線通信装置について図５及び図６を用いて説明する。図５は、本実施の形態による逆Ｆ型アンテナの構造及び無線通信装置のシールド板を示す斜視図である。図６は、本実施の形態による逆Ｆ型アンテナのシールド板への固定状態を示す断面図である。図５に示すように、逆Ｆ型アンテナ１は、無線通信装置５０のシールド板５２に取り付けられる。なお、図５では逆Ｆ型アンテナ１とシールド板５２との接続状態を明確に示すため、同軸ケーブル１８０の図示は省略している。
【００４５】
本実施の形態による逆Ｆ型アンテナ１は、第１及び第２の実施の形態における逆Ｆ型アンテナ１と異なり、固定用ねじ取付部６が設けられていない。また、接地導体板４に突起部８も爪１４も形成されていない。その代わり、図５及び図６に示すように、本実施の形態による逆Ｆ型アンテナ１の接地導体板４のほぼ中央部裏面には、対向配置された固定用壁部１６ａ、１６ｂが設けられている。固定用壁部１６ａ、１６ｂは互いの対向面側が凹状で対向面の裏面側が凸状に形成されている。それ以外の構成は第１の実施の形態と同様であるので同一構成要素には同一の符号を付してその説明は省略する。
【００４６】
シールド板５２の板面上の逆Ｆ型アンテナ取付位置には、同軸ケーブル１８０を通す同軸ケーブル用開口部５４と共に、固定用壁部１６ａ、１６ｂが挿入される壁部係止用開口部６２が所定位置に形成されている。
【００４７】
次に、本実施の形態による逆Ｆ型アンテナ１の取り付け方法について再び図５及び図６を用いて説明する。同軸ケーブル１８０の芯線１８２を芯線接続用切欠き１２に接触させて半田９２により半田付けし、同軸ケーブル１８０の編組１８４を編組接続用穴１０において半田９４により半田付けして固定するのは第１の実施の形態における図２に示すのと同一である。
【００４８】
次に、逆Ｆ型アンテナ１の接地導体板４ほぼ中央裏面の固定用壁部１６ａ、１６ｂ先端をシールド板５２の壁部係止用開口部６２の対応辺部に当接させた状態で逆Ｆ型アンテナ１をシールド板５２側に押し出すことにより、固定用壁部１６ａ、１６ｂの弾性を利用して、壁部係止用開口部６２からその内方に固定用壁部１６ａ、１６ｂを挿入する。このように固定用壁部１６ａ、１６ｂを壁部係止用開口部６２に挿入するだけで、逆Ｆ型アンテナ１の放射導体板２を確実にシールド板５２板面から所定の距離を隔ててシールド板１５０にほぼ平行に配置固定することができる。
【００４９】
このように本実施の形態による逆Ｆ型アンテナ１の構成によっても、従来の逆Ｆ型アンテナの構造のような半田付け工程が不要になる。このため、高い作業性を実現しつつ製造歩留まりの低下を抑制することができる。
【００５０】
〔第４の実施の形態〕
次に、本発明の第４の実施の形態による逆Ｆ型アンテナ及びそれを備えた無線通信装置について図７を用いて説明する。図７は、本実施の形態による逆Ｆ型アンテナの構造及び無線通信装置のシールド板を示す斜視図である。図７に示すように、逆Ｆ型アンテナ１は、無線通信装置５０のシールド板５２に取り付けられる。なお、図７では逆Ｆ型アンテナ１とシールド板５２との接続状態を明確に示すため、同軸ケーブル１８０の図示は省略している。
【００５１】
本実施の形態による逆Ｆ型アンテナ１は、第３の実施の形態における逆Ｆ型アンテナ１と異なり、固定用壁部１６ａが設けられていない。図７に示すように、接地導体板４のほぼ中央部裏面には、固定用壁部１６ｂのみが設けられている。そして、第２の実施の形態と同様に、接地導体板４の接続導体板３側と反対側の端部に接地導体板４板面から一段下がった位置に爪１４が形成されている。つまり、接地導体板４端部に形成された爪１４に対向配置して接地導体板４の裏面に固定用壁部１６ｂが形成されている。固定用壁部１６ｂの爪１４との対向面側は凹状で対向面の裏面側は凸状に形成されている。それ以外の構成は第１乃至第３の実施の形態と同様であるので同一構成要素には同一の符号を付してその説明は省略する。
【００５２】
シールド板５２の板面上の逆Ｆ型アンテナ取付位置には、同軸ケーブル１８０を通す同軸ケーブル用開口部５４と共に、爪１４が挿入される爪挿入用開口部（第１の開口部）６０及び固定用壁部１６ｂが挿入される壁部係止用開口部（第２の開口部）６２が所定位置に形成されている。
【００５３】
次に、本実施の形態による逆Ｆ型アンテナ１の取り付け方法について再び図７を用いて説明する。同軸ケーブル１８０の芯線１８２を芯線接続用切欠き１２に接触させて半田９２により半田付けし、同軸ケーブル１８０の編組１８４を編組接続用穴１０において半田９４により半田付けして固定するのは図２に示す第１の実施の形態と同一である。
【００５４】
次に、逆Ｆ型アンテナ１の接地導体板４端部の爪１４をシールド板５２の爪挿入用開口部６０に当接させた状態で逆Ｆ型アンテナ１全体を傾斜させ、爪１４を爪挿入用開口部６０に挿入する。次いで逆Ｆ型アンテナ１の姿勢を直して接地導体板４の板面をシールド板５２表面に接触させて位置決めする。このように爪１４を爪挿入用開口部６０に挿入するだけで容易に逆Ｆ型アンテナ１の取付位置の位置決めをすることができる。
【００５５】
次に、逆Ｆ型アンテナ１の接地導体板４ほぼ中央裏面の固定用壁部１６ｂ先端をシールド板５２の壁部係止用開口部６２の対応辺部に当接させた状態で逆Ｆ型アンテナ１をシールド板５２側に押し出すことにより、固定用壁部１６ｂの弾性を利用して、壁部係止用開口部６２からその内方に固定用壁部１６ｂを挿入する。このように、爪１４を爪挿入用開口部６０に挿入した後、固定用壁部１６ｂを壁部係止用開口部６２に挿入するだけで、逆Ｆ型アンテナ１の放射導体板２を確実にシールド板５２板面から所定の距離を隔ててシールド板１５０にほぼ平行に配置固定することができる。
【００５６】
このように本実施の形態による逆Ｆ型アンテナ１の構成によっても、従来の逆Ｆ型アンテナの構造のような半田付け工程が不要になる。このため、高い作業性を実現しつつ製造歩留まりの低下を抑制することができる。
【００５７】
〔第５の実施の形態〕
次に、本発明の第５の実施の形態による逆Ｆ型アンテナ及びそれを備えた無線通信装置について図８及び図９を用いて説明する。図８は、本実施の形態による逆Ｆ型アンテナの構造及び無線通信装置のシールド板を示す斜視図である。図９は、本実施の形態による逆Ｆ型アンテナのシールド板への固定状態を示す断面図である。図８に示すように、逆Ｆ型アンテナ１は、無線通信装置５０のシールド板５２に取り付けられる。なお、図８では逆Ｆ型アンテナ１とシールド板５２との接続状態を明確に示すため、同軸ケーブル１８０の図示は省略している。
【００５８】
本実施の形態による逆Ｆ型アンテナ１は、第１及び第２の実施の形態における逆Ｆ型アンテナ１と異なり、固定用ねじ取付部６が設けられていない。また、接地導体板４に突起部８も爪１４も形成されていない。また、第３の実施の形態による逆Ｆ型アンテナ１と異なり、接地導体板４裏面に固定用壁部１６ａ、１６ｂも設けられていない。その代わり、図８及び図９に示すように、本実施の形態による逆Ｆ型アンテナ１の接地導体板４のほぼ中央部には、シールド板５２に設けられた固定用爪部の爪がはめ込まれる固定用開口部１８が設けられている。それ以外の構成は第１の実施の形態と同様であるので同一構成要素には同一の符号を付してその説明は省略する。
【００５９】
シールド板５２の板面上の逆Ｆ型アンテナ取付位置には、同軸ケーブル１８０を移動可能に通す広さを有する開口部６６と共に、図示における開口部６６左端部から開口部６６内に延びる片持ち梁状の固定用爪部６４が所定位置に形成されている。固定用爪部６４の先端部６４ａは図下方側に凸状の爪が形成されている。固定用爪部６４の根元部６４ｂはシールド板５２の板面から一段高く形成されており、先端部６４ａに図下方から上方に力が作用すると根元部６４ｂを支点として先端部６４ａに下方へ向かう反力を作用させるようになっている。
【００６０】
次に、本実施の形態による逆Ｆ型アンテナ１の取り付け方法について再び図８及び図９を用いて説明する。同軸ケーブル１８０の芯線１８２を芯線接続用切欠き１２に接触させて半田９２により半田付けし、同軸ケーブル１８０の編組１８４を編組接続用穴１０において半田９４により半田付けして固定するのは第１の実施の形態における図２に示すのと同一である。
【００６１】
次に、逆Ｆ型アンテナ１の接地導体板４の図右端をシールド板５２の開口部６６の図右端に揃えて接地導体板４裏面をシールド板５２表面に接触させた状態で、図中の矢印ｄに示す方向に相対的に接地導体板４をスライドさせる。接地導体板４をスライドさせると、固定用爪部６４の先端部６４ａに接地導体板４の図右端が当接した後、下方から上方に向かう力を作用させつつ、図９（ａ）に示すように、接地導体板４は固定用爪部６４の先端部６４ａを持ち上げながら進む。次いで図９（ｂ）に示すように、固定用爪部６４の先端部６４ａが接地導体板４ほぼ中央部の固定用開口部１８に達すると、根元部６４ｂを支点として先端部６４ａを下方へ向わせる力により、先端部６４ａの爪は固定用開口部１８に嵌まり込む。これにより、接地導体板４をシールド板５２表面をスライドさせるだけで、逆Ｆ型アンテナ１の放射導体板２を確実にシールド板５２板面から所定の距離を隔ててシールド板１５０にほぼ平行に配置固定することができる。
【００６２】
このように本実施の形態による逆Ｆ型アンテナ１の構成によっても、従来の逆Ｆ型アンテナの構造のような半田付け工程が不要になる。このため、高い作業性を実現しつつ製造歩留まりの低下を抑制することができる。
【００６３】
本発明は、上記実施の形態に限らず種々の変形が可能である。
例えば、上記実施の形態において、シールド板上に逆Ｆ型アンテナを位置決め及び固定する際に、逆Ｆ型アンテナに設けた位置決めあるいは固定構造と、シールド板上に設けた位置決めあるいは固定構造とを付け替えて逆構成にしてももちろんよい。
【００６４】
また、上記実施の形態では、無線通信装置としてアクセスポイントを例にとって説明したが、本発明はこれに限らず、逆Ｆ型アンテナを用いる無線ＬＡＮ装置やその他の無線通信機器に適用することができる。
【００６５】
【発明の効果】
以上の通り、本発明によれば、作業性に優れ製造歩留まりを向上できる逆Ｆ型アンテナ及びそれを備えた無線通信装置を実現できる。
【図面の簡単な説明】
【図１】本発明の第１の実施の形態による逆Ｆ型アンテナ及びそれを備えた無線通信装置を示す斜視図である。
【図２】本発明の第１の実施の形態による逆Ｆ型アンテナ及びその取付構造を示す断面図である。
【図３】本発明の第１の実施の形態による逆Ｆ型アンテナを備えた無線通信装置を示すブロック図である。
【図４】本発明の第２の実施の形態による逆Ｆ型アンテナ及びそれを備えた無線通信装置を示す斜視図である。
【図５】本発明の第３の実施の形態による逆Ｆ型アンテナ及びそれを備えた無線通信装置を示す斜視図である。
【図６】本発明の第３の実施の形態による逆Ｆ型アンテナ及びその取付構造を示す断面図である。
【図７】本発明の第４の実施の形態による逆Ｆ型アンテナ及びそれを備えた無線通信装置を示す斜視図である。
【図８】本発明の第５の実施の形態による逆Ｆ型アンテナ及びそれを備えた無線通信装置を示す斜視図である。
【図９】本発明の第５の実施の形態による逆Ｆ型アンテナ及びその取付構造を示す断面図である。
【図１０】従来の逆Ｆ型アンテナ及びその取付構造を示す斜視図である。
【符号の説明】
１、１００　逆Ｆ型アンテナ
２、１０２　放射導体板
３、１０３　接続導体板
４、１０４　接地導体板
６　固定用ねじ取付部
７　開口部
８　突起部
１０　編組接続用穴
１２　芯線接続用穴
１４　爪
１６ａ、１６ｂ　固定用壁部
１８　固定用開口部
５０、２００　無線通信装置
５２、１５０　シールド板
５４　同軸ケーブル用開口部
５６　凸部挿入用開口部
５８　雌ねじ部
６０　爪挿入用開口部
６２　壁部係止用開口部
６４　固定用爪部
６４ａ　先端部
６４ｂ　根元部
６６　開口部
７０　無線ＬＡＮインターフェース部
７２　有線ＬＡＮインターフェース部
７４　メモリ
７６　ブリッジ制御プログラム
７８　ＩＥＥＥ８０２．１ｘ制御プログラム
８０　有線ＬＡＮ
８２　中央制御部
９２、９４　半田
１０６　芯線接続用穴
１０８　編組接続用穴
１８０　同軸ケーブル
１８２　芯線
１８４　編組
【図１】
2004080104.tif 000003
【図２】
2004080104.tif 000004
【図３】
2004080104.tif 000005
【図４】
2004080104.tif 000006
【図５】
2004080104.tif 000007
【図６】
2004080104.tif 000008
【図７】
2004080104.tif 000009
【図８】
2004080104.tif 000010
【図９】
2004080104.tif 000011
【図１０】
2004080104.tif 000012